(57)【要約】      （修正有）【課題】記録紙に色が付されている場合であっても、ユーザーが想定している画像の色を正確に再現できる画像形成装置を提供する。【解決手段】画像形成装置１の制御部１０は、第１の色情報を取得する指示を受け付ける毎に、画像読取部１１に対し、記録紙を読み取らせることで生成される第１の画像データから取得される色情報を、色名と対応付けて、第１の色情報としてＨＤＤ１９に記憶させる。制御部はまた、選択可能な記録紙の色を示す情報を表示する指示を受け付けた場合に、表示部１６に対し、第１の色情報に基づいて、少なくとも１つの記録紙の色を示す情報を表示させる。制御部はさらに、少なくとも１つの記録紙の色のうちのいずれかを選択する指示、及び、複写処理を実行する指示を受け付けた場合に、選択されている記録紙の色に対応する第１の色情報、及び第２の画像データから取得される第２の色情報に応じて、第２の画像データの色補正を行なう。【選択図】図２
2020047998.tif 000002
【特許請求の範囲】
【請求項１】
画像を読み取って画像データを生成する画像読取部と、
染料を含むインクによって画像を記録媒体に形成する画像形成部と、
ユーザーによる指示が入力される入力部と、
記憶部と、表示部と、制御部と、を備え、
前記制御部は、前記入力部を介して、前記記録媒体の色を示す第１の色情報を取得する指示を受け付ける毎に、前記画像読取部に対し、第１の画像を読み取らせて第１の画像データを生成させ、生成された前記第１の画像データから前記第１の画像の色を示す色情報を取得し、取得された前記色情報を、前記記録媒体の色を特定するための特定情報と対応付けて、前記第１の色情報として前記記憶部に記憶させ、
前記制御部は、前記入力部を介して、選択可能な前記記録媒体の色を示す情報を表示する指示を受け付けた場合に、前記表示部に対し、前記記憶部に記憶されている前記第１の色情報に基づいて、少なくとも１つの前記記録媒体の色を示す情報を表示させ、
前記制御部は、前記入力部を介して、少なくとも１つの前記記録媒体の色のうちのいずれかを選択する指示を受け付けた場合であって、前記画像形成部による画像形成を実行する指示を受け付けた場合に、選択されている前記記録媒体の色に対応する前記第１の色情報、及び画像形成対象の第２の画像データによって示される第２の画像の色を示す第２の色情報に応じて、前記第２の画像データの色補正を行ない、前記画像形成部に対し、色補正後の前記第２の画像データに基づく画像を、前記記録媒体に形成させる、画像形成装置。
【請求項２】
前記第１の色情報は、前記第１の画像の色を指定する第１のＲＧＢ値を含み、
前記第２の色情報は、前記第２の画像の色を指定する第２のＲＧＢ値を含み、
前記制御部は、前記第１のＲＧＢ値及び前記第２のＲＧＢ値に応じて、前記色補正後の前記第２の画像データに基づく画像の色を指定する第３のＲＧＢ値を算出し、前記第２のＲＧＢ値を前記第３のＲＧＢ値に置き換えることによって前記色補正を行なう、請求項１に記載の画像形成装置。
【請求項３】
前記制御部は、前記第１のＲＧＢ値と前記第２のＲＧＢ値とに基づいて、前記第１の画像の色が、前記第２の画像の色に近い予め定められた色ではないと判定した場合であって、前記第１の画像の色と、前記第２の画像の色とを混ぜ合わせることによって生成される混色の色が、前記第２の画像の色よりも暗い色であると判定した場合に、前記第１のＲＧＢ値におけるＲＧＢ成分の割合に応じて、前記第３のＲＧＢ値におけるＲＧＢ成分のうちのいずれかの成分の割合が、前記第２のＲＧＢ値における対応する成分の割合よりも予め定められた第１の値分大きくなるように、前記第３のＲＧＢ値を算出する、請求項２に記載の画像形成装置。
【請求項４】
前記制御部は、前記第１のＲＧＢ値と前記第２のＲＧＢ値とに基づいて、前記第１の画像の色が、前記第２の画像の色に近い予め定められた色であると判定した場合に、第３のＲＧＢ値における全ての値が、前記第２のＲＧＢ値における対応する値よりも予め定められた第２の値分大きくなるように、前記第３のＲＧＢ値を算出する、請求項２又は請求項３に記載の画像形成装置。
【請求項５】
前記制御部は、前記第１のＲＧＢ値と前記第２のＲＧＢ値とが同じ値である場合に、前記第３のＲＧＢ値として、前記画像形成部による画像形成を実行しないように予め設定されている値を算出する、請求項２乃至請求項４のいずれかに記載の画像形成装置。
【発明の詳細な説明】
【技術分野】
【０００１】
本発明は、画像形成装置に関し、特に、記録紙の色に応じた色補正を行なう技術に関する。
【背景技術】
【０００２】
インクジェット方式の画像形成装置によって画像を記録紙に印刷する場合、通常は、記録紙の色として白色が想定されているため、色が付されている記録紙を使用する場合には、記録紙の色に応じた色補正を行なう必要がある。例えば、ユーザーが、色相又は彩度等を手動で調整する場合には、印刷画像の色をユーザーが想定している色に近づけるために印刷を繰り返す必要が生じる場合がある。この結果、ユーザーの手間がかかるとともに、紙及びインク等の資源が無駄になるおそれがある。
【０００３】
このため、ユーザーによる手動の調整によらずに色補正を行なう技術が知られている。例えば、特許文献１には、記録紙の色をセンサーによって検出し、センサーから出力される色情報に基づいて、ＲＧＢによって示される画像データの色調から、記録紙の色分のＲＧＢ成分を削減することで、画像データの色調を補正する技術が開示されている。
【０００４】
特許文献２には、印刷本紙の紙色を示す測色値を用いて、印刷本紙と校正紙との紙色の差を補正する技術が開示されている。特許文献２にはまた、カラーパッチに示される色のうちからユーザーによって選択された色に対応する値、又は、測色計によって測定された値を測色値とする技術が開示されている。
【０００５】
特許文献３には、カラーパレットによって示される色見本のうちからユーザーによって指定された色を印刷装置に装着されている記録紙の色とし、当該記録紙の色とカラー画像データとにおける３原色の各色の色差に基づいて、カラー画像データの色調を補正する技術が開示されている。
【先行技術文献】
【特許文献】
【０００６】
【特許文献１】特開平１０−２７２８０６号公報
【特許文献２】特開平１１−１７７８３４号公報
【特許文献３】特開平１０−４４５１０号公報
【発明の概要】
【発明が解決しようとする課題】
【０００７】
特許文献１及び特許文献２に開示される技術では、記録紙の色を示す色情報を取得するためにセンサー又は測色計等を使用するため、センサー又は測色計に不具合が生じると、ユーザーが想定している画像の色を正確に再現できなくなるおそれがある。
【０００８】
特許文献２に開示される技術では、印刷本紙の紙色は、ユーザーによる目視によって、標準的な紙色の測色値から形成されているカラーパッチに示される色から選択される。特許文献３に開示される技術では、記録紙の色は、ユーザーによる目視によって、標準的な色を示す色見本から選択される。したがって、選択された色と、実際に使用する記録紙の色とが完全に一致しない場合には、ユーザーが想定している画像の色を正確に再現できないおそれがある。
【０００９】
本発明は、上記の事情に鑑みなされたものであり、記録紙に色が付されている場合であっても、ユーザーが想定している画像の色を正確に再現できるようにすることを目的とする。
【課題を解決するための手段】
【００１０】
本発明の一局面に係る画像形成装置は、画像を読み取って画像データを生成する画像読取部と、染料を含むインクによって画像を記録媒体に形成する画像形成部と、ユーザーによる指示が入力される入力部と、記憶部と、表示部と、制御部と、を備える。制御部は、入力部を介して、記録媒体の色を示す第１の色情報を取得する指示を受け付ける毎に、画像読取部に対し、第１の画像を読み取らせて第１の画像データを生成させ、生成された第１の画像データから第１の画像の色を示す色情報を取得し、取得された色情報を、記録媒体の色を特定するための特定情報と対応付けて、第１の色情報として記憶部に記憶させ、
制御部は、入力部を介して、選択可能な記録媒体の色を示す情報を表示する指示を受け付けた場合に、表示部に対し、記憶部に記憶されている第１の色情報に基づいて、少なくとも１つの記録媒体の色を示す情報を表示させる。
【００１１】
制御部は、入力部を介して、少なくとも１つの記録媒体の色のうちのいずれかを選択する指示を受け付けた場合であって、画像形成部による画像形成を実行する指示を受け付けた場合に、選択されている記録媒体の色に対応する第１の色情報、及び画像形成対象の第２の画像データによって示される第２の画像の色を示す第２の色情報に応じて、第２の画像データの色補正を行ない、画像形成部に対し、色補正後の第２の画像データに基づく画像を、記録媒体に形成させる。
【発明の効果】
【００１２】
本発明によれば、記録媒体の色を示す第１の色情報は、画像読取部によって生成される第１の画像データから取得されるので、制御部は、実際に使用する記録媒体の色に応じた色補正を行なうことが可能になる。したがって、標準的な記録媒体の色に応じた色補正を行なう場合と比較して、ユーザーが想定している第２の画像の色を正確に再現することができる。
【００１３】
また、色補正に用いるための記録媒体の色が、予め記憶されている第１の色情報に基づいて表示される少なくとも１つの記録媒体の色から選択されるので、画像読取部に不具合が生じている場合であっても、ユーザーが想定している第２の画像の色を正確に再現することができる。
【図面の簡単な説明】
【００１４】
【図１】本発明の一実施形態に係る画像形成装置の外観を示す斜視図である。
【図２】本発明の一実施形態に係る画像形成装置の内部構成を示すブロック図である。
【図３Ａ】複写処理を示すフローチャートである。
【図３Ｂ】複写処理を示すフローチャートである。
【図４】ホーム画面の一例を示す図である。
【図５】複写画面の一例を示す図である。
【図６】設定画面の一例を示す図である。
【図７】選択画面の一例を示す図である。
【図８】入力画面の一例を示す図である。
【図９】表示されるソフトキーが変更されたときの選択画面の一例を示す図である。
【図１０】第２の画像の一例を示す図である。
【図１１】色補正処理の詳細を説明するための図である。
【図１２】印刷された画像の一例を示す図である。
【図１３】印刷された画像の他の一例を示す図である。
【発明を実施するための形態】
【００１５】
以下、本発明の一実施形態に係る画像形成装置について図面を参照して説明する。図１は、本発明の一実施形態に係る画像形成装置の外観を示す斜視図である。図１を参照して、画像形成装置１は、ファクシミリ機能、複写機能、プリンター機能、及びスキャナー機能等の複数の機能を兼ね備えるインクジェット方式の複合機である。画像形成装置１はまた、複写処理を実行する際に、印刷対象の記録紙の色に応じた色補正処理を実行する色補正機能を備える。
【００１６】
図１を参照して、画像形成装置１の筐体７には、画像形成装置１の様々な機能を実現するための複数の機器が収容されている。例えば、筐体７には、画像読取部１１、画像形成部１２（図１には図示しない。）、及び給紙部１４等が収容されている。
【００１７】
画像読取部１１は、原稿を搬送する原稿搬送部６と、原稿搬送部６によって搬送される原稿又は不図示のコンタクトガラスに載置される原稿を光学的に読み取るスキャナーと、を含むＡＤＦ（Auto Document Feeder）である。画像読取部１１は、光照射部により原稿を照射し、その反射光をＣＣＤ（Charge-Coupled Device）センサーで受光することによって原稿の画像を読み取って、予め設定されている読取解像度に応じた画素数の画像データを生成する。画像読取部１１によって生成される画像データは、ＲＧＢ値によって構成されている。
【００１８】
画像形成部１２は、イエロー（Ｙ）、マゼンタ（Ｍ）、シアン（Ｃ）、及びブラック（Ｋ）のそれぞれに対応する図略の４つの記録ヘッドを備える。画像形成部１２は、画像読取部１１によって生成される画像データ、ネットワークを介して接続されるＰＣ(Personal Computer)等の情報処理装置２２から送信される画像データ、又は他のファクシミリ装置から送信される画像データ等に基づいて、給紙部１４から供給される記録紙に、上記４つの記録ヘッドがそれぞれ備える図略のノズルによって、対応する色の染料を含む水性のインクをそれぞれ吐出することで、各色の画像を形成する。画像が形成された記録紙は排紙トレイ８に排出される。
【００１９】
給紙部１４は、給紙カセットに収容される記録紙、又は手差しトレイに載置される記録紙を図示しないピックアップローラーによって１枚ずつ引出して画像形成部１２へと送り出す。
【００２０】
画像形成装置１は、操作部１５を備える。ユーザーは、操作部１５を介して、画像形成装置１によって実行可能な各種機能についての指示等を入力する。ユーザーは、操作部１５を介して、画像読取部１１による読取解像度を設定できる。操作部１５は、ハードキーとして、各種機能の実行の開始を指示するための図略のスタートキーを含む。操作部１５は、表示部１６を含む。表示部１６は、液晶ディスプレイを含む表示装置である。表示部１６は、画像形成装置１によって実行可能な各種機能に関する各種の画面を表示する。操作部１５は、表示部１６に重ねて配置されるタッチパネル１５Ａを含む。操作部１５は、特許請求の範囲における入力部の一例である。
【００２１】
図２は、本発明の一実施形態に係る画像形成装置の内部構成を示すブロック図である。図２を参照して、画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、内蔵するＲＯＭ又はＨＤＤ（Hard Disk Drive）１９に記憶されている制御プログラムが上記のプロセッサーによって実行されることにより、制御部１０として機能する。
【００２２】
制御ユニット１００は、原稿搬送部６、画像読取部１１、画像形成部１２、給紙部１４、操作部１５、画像処理部１７、画像メモリー１８、ＨＤＤ１９、ファクシミリ通信部２０、及び通信部２１等と電気的に接続される。
【００２３】
制御部１０は、画像形成装置１の全体制御を司る。より詳細には、制御部１０は、画像形成装置１の各部の動作、及び、ネットワークを介して接続されるＰＣ又はサーバー等の情報処理装置２２との通信等を制御する。
【００２４】
画像処理部１７は、画像読取部１１によって生成される画像データに対して、必要に応じて画像処理を実行する。画像処理部１７はまた、ＲＧＢ値によって構成される印刷対象の画像データを、ＣＭＹＫ値によって構成される印刷用データに変換する。上記のＲＧＢ値からＣＭＹＫ値への変換方法としては、一般的に使用される方法であれば特に限定されないが、例えば、ＲＧＢ値とＣＭＹＫ値との対応関係を示すルックアップテーブルを用いる方法、又は、予め定められる変換式を用いる方法等がある。
【００２５】
画像メモリー１８は、画像読取部１１によって生成される印刷対象の画像データを一時的に記憶する領域を含む。
【００２６】
ＨＤＤ１９は、画像読取部１１によって生成される画像データ等を含む各種データを記憶する大容量の記憶装置である。ＨＤＤ１９は、画像形成装置１の一般的な動作を実現するための各種制御プログラムを記憶する。ＨＤＤ１９は、特許請求の範囲における記憶部の一例である。
【００２７】
ＨＤＤ１９は、本実施の形態に係る複写処理を実行するための複写制御プログラムを記憶する。上記のプロセッサーは、複写制御プログラムに従って動作することにより、制御部１０として、複写処理を実行する。複写制御プログラムは、上記制御プログラムの１つであるものとする。
【００２８】
なお、制御部１０は、制御プログラムに基づく動作によらず、ハード回路により動作可能に構成されてもよいし、２つ以上の制御ユニットによって実現される構成であってもよい。
【００２９】
ＨＤＤ１９は、記録紙の色を特定するための特定情報としての色名と、記録紙の色を指定する第１のＲＧＢ値と、をそれぞれ対応付けて、記録紙の色を示す第１の色情報として記憶する。色名は、ユーザーによって、操作部１５を介して入力される。第１のＲＧＢ値は、操作部１５を介して入力されるユーザーの指示に応じて、制御部１０が、画像読取部１１に対して、記録紙の画像を読み取らせることによって生成される第１の画像データから取得される。上記した記録紙の画像は、特許請求の範囲における第１の画像に対応する。以下、例えば、Ｒ値が「１４９」であり、Ｇ値が「１７９」であり、Ｂ値が「２１５」であるＲＧＢ値を記す場合、単に（１４９，１７９，２１５）のように記す。
【００３０】
本実施の形態において、ＨＤＤ１９は、互いに色の異なる複数の記録紙のそれぞれに対応する第１の色情報を記憶している。例えば、ＨＤＤ１９は、薄桃色の記録紙に対応する第１の色情報として、「薄桃」という色名と、（２４２，２２０，２１９）という第１のＲＧＢ値とをそれぞれ対応付けて記憶している。ＨＤＤ１９はまた、例えば、薄緑色の記録紙に対応する第１の色情報として、「薄緑」という色名と、（２３５，２４１，２２２）という第１のＲＧＢ値とをそれぞれ対応付けて記憶している。ＨＤＤ１９はさらに、例えば、薄黄色の記録紙に対応する第１の色情報として、「薄黄」という色名と、（２５１，２４８，１８９）という第１のＲＧＢ値と、をそれぞれ対応付けて記憶している。上記各ＲＧＢ値は単なる一例である。
【００３１】
ＨＤＤ１９は、色補正機能に関する設定内容を示す設定情報を記憶する。設定情報は、操作部１５を介して入力されるユーザーの指示に応じて記憶される。設定情報は、色補正機能が有効又は無効に設定されていることを示す情報を含む。制御部１０は、複写処理を実行する際に、色補正機能が有効に設定されている場合には、色補正処理を実行する。制御部１０は、複写処理を実行する際に、色補正機能が無効に設定されている場合には、色補正処理を実行しない。
【００３２】
設定情報はまた、印刷対象の記録紙の色を指定する第１のＲＧＢ値を含む。設定情報として記憶される第１のＲＧＢ値は、ユーザーによって操作部１５を介して入力される、印刷対象の記録紙の色を指定する指示に応じて、制御部１０が、第１の色情報から取得する。
【００３３】
ファクシミリ通信部２０は、公衆回線への接続を行ない、公衆回線を介して画像データの送受信を行なう。
【００３４】
通信部２１は、ＬＡＮボード等の通信モジュールを含む。画像形成装置１は、通信部２１を介して、ネットワーク上のＰＣ又はサーバー等の情報処理装置２２とデータ通信を行なう。
【００３５】
画像形成装置１の各部には図示しない電源が接続され、この電源から電力が供給されることによって、画像形成装置１の各部が動作する。
【００３６】
［動作］
図３Ａ及び図３Ｂは、複写処理を示すフローチャートである。以下、複写処理を実行するために、画像形成装置１で実行される複写制御プログラムの制御構造について、画像形成装置１の動作と併せて説明する。複写制御プログラムは、ユーザーによって操作部１５に備えられる図略のスタートキーが押下されることで、複写処理を実行する指示が入力されることによって実行される。
（１）色補正処理が実行される場合
画像形成装置１の電源が投入されると、制御部１０は、表示部１６に、画像形成装置１によって実行可能な複数の機能のうちのいずれかを選択するためのホーム画面を表示させる。図４は、ホーム画面の一例を示す図である。図４を参照して、ホーム画面４０は、ソフトキーとして、複写機能を選択するためのキー４２、スキャナー機能を選択するためのキー４４、及びファクシミリ機能を選択するためのキー４６等を含む。
【００３７】
ユーザーは、複写機能の利用を所望して、給紙部１４の給紙カセットに、印刷対象の薄青色の記録紙を収容して、キー４２を押下したものとする。タッチパネル１５Ａによってキー４２の押下が検知されると、制御部１０は、表示部１６に、複写機能の各種設定を行なうための複写画面を表示させる。
【００３８】
図５は、複写画面５０の一例を示す図である。図５を参照して、複写画面５０は、ソフトキーとして、給紙カセットを選択するためのキー５１、印刷画像の倍率を設定するためのキー５２、印刷濃度を設定するためのキー５３、及び、色補正機能を有効又は無効に設定するための設定画面を表示する指示を入力するためのキー５４等を含む。ユーザーが、これらのソフトキーのうちのいずれかを押下すると、制御部１０は、押下されたキーに対応する設定を行なうための画面を、表示部１６に表示させる。
【００３９】
ユーザーは、複写画面５０を確認して、操作部１５を介して、薄青色の記録紙が収容されている給紙カセットを選択する指示を入力するとともに、画像読取部１１による読取解像度を、「２００×２００ｄｐｉ」に設定する指示を入力したものとする。ユーザーはまた、キー５４を押下したものとする。タッチパネル１５Ａによってキー５４の押下が検知されると、制御部１０は、設定画面を表示する指示を受け付けたと判定し、表示部１６に、設定画面を表示させる。
【００４０】
図６は、設定画面の一例を示す図である。図６を参照して、設定画面６０は、ソフトキーとして、色補正機能を有効に設定することを選択するためのキー６２と、色補正機能を無効に設定することを選択するためのキー６４と、有効又は無効の選択を確定するためのキー６６と、設定画面６０の表示を中止するためのキー６８と、を含む。
【００４１】
ユーザーは、色補正機能を有効に設定するために、キー６２を押下し、さらにキー６６を押下したものとする。タッチパネル１５Ａによってキー６２及びキー６６の押下が検知されると、制御部１０は、色補正機能を有効に設定して、設定内容を設定情報としてＨＤＤ１９に記憶させる。制御部１０はまた、キー６２及びキー６６の押下の検知に応じて、選択可能な記録紙の色を示す情報を表示する選択画面を表示する指示を受け付けたと判定し、表示部１６に、選択画面を表示させる。
【００４２】
図７は、選択画面の一例を示す図である。図７を参照して、選択画面７０は、印刷対象の記録紙の色を選択するためのソフトキーとして、「薄桃」を選択するためのキー７１と、「薄緑」を選択するためのキー７２と、「薄黄」を選択するためのキー７３と、を含む。これらのソフトキーは、ＨＤＤ１９に記憶されている第１の色情報に基づいて、複数の記録紙の色のそれぞれを示す態様で、制御部１０が、領域７４に表示する。
【００４３】
具体的には、キー７１は、「薄桃」という色名が表示される領域７１Ａと、「薄桃」という色名に対応する第１のＲＧＢ値によって指定される色が表示される領域７１Ｂと、を含む。キー７２は、「薄緑」という色名が表示される領域７２Ａと、「薄緑」という色名に対応する第１のＲＧＢ値によって指定される色が表示される領域７２Ｂと、を含む。キー７３は、「薄黄」という色名が表示される領域７３Ａと、「薄黄」という色名に対応する第１のＲＧＢ値によって指定される色が表示される領域７３Ｂと、を含む。
【００４４】
選択画面７０はまた、第１の色情報によって示される記録紙の色の全てに対応するソフトキーを領域７４に表示できない場合に、ユーザーによる操作にしたがって、領域７４に表示されるソフトキーを変更するための矢印キー７５，７６を含む。選択画面７０はさらに、ソフトキーとして、第１の色情報を取得する指示を入力するためのキー７７と、印刷対象の記録紙の色の選択を確定するためのキー７８と、を含む。
【００４５】
ユーザーは、薄青色の記録紙に対応する第１の色情報を取得するために、キー７７を押下したものとする。タッチパネル１５Ａによってキー７７の押下が検知されると、制御部１０は、第１の色情報を取得する指示を受け付けたと判定し、表示部１６に、例えば、「記録紙をスキャンして下さい。」等の図略のメッセージを表示させる。ユーザーは、メッセージを確認して、画像読取部１１の図略のコンタクトガラスに、印刷対象の薄青色の記録紙を載置して、操作部１５に備えられる図略のスタートキーを押下したものとする。
【００４６】
スタートキーの押下が検知されると、制御部１０は、画像読取部１１に対し、図略のコンタクトガラスに載置されている記録紙の画像を、第１の画像として読み取らせて、予め設定されている読取解像度に応じた画素数の第１の画像データを生成させる。制御部１０は、生成された第１の画像データから、第１の画像の色、すなわち、記録紙の薄青色を指定する第１のＲＧＢ値を取得する。この場合、制御部１０は、（１４９，１７９，２１５）という第１のＲＧＢ値を取得する。
【００４７】
第１のＲＧＢ値の取得方法としては、一般的に使用される方法であれば特に限定されないが、例えば、第１の画像データを構成する画素のうちから任意に選択される１つの画素のＲＧＢ値を、第１のＲＧＢ値として取得してもよいし、第１の画像データを構成する全ての画素におけるＲＧＢ値の平均値を、第１のＲＧＢ値として取得してもよい。
【００４８】
第１のＲＧＢ値の取得後、制御部１０は、表示部１６に、色名を入力するための入力画面を表示させる。図８は、入力画面の一例を示す図である。図８を参照して、入力画面８０は、文字又は数字等の入力を行なうための複数のソフトキーを含むソフトウェアキーボード８２と、入力されている色名を表示するための領域８４と、を含む。入力画面８０は、ソフトキーとして、色名の入力を確定するためのキー８６を含む。
【００４９】
ユーザーは、ソフトウェアキーボード８２を介して、「薄青」という色名を入力したものとする。タッチパネル１５Ａによってソフトウェアキーボード８２に対する入力が検知されると、制御部１０は、入力されている内容に応じた「薄青」という色名を領域８４に表示させる。ユーザーは、領域８４に表示されている色名を確認して、キー８６を押下したものとする。
【００５０】
タッチパネル１５Ａによってキー８６の押下が検知されると、制御部１０は、取得されている第１のＲＧＢ値を、入力されている色名に対応付けて、第１の色情報としてＨＤＤ１９に記憶させる。これによって、「薄青」という色名と、（１４９，１７９，２１５）という第１のＲＧＢ値とがそれぞれ対応付けられて、第１の色情報としてＨＤＤ１９に追加して記憶される。
【００５１】
薄青色の記録紙に対応する第１の色情報の取得後、ユーザーは、選択画面７０の矢印キー７５を押下したものとする。図９は、表示されるソフトキーが変更されたときの選択画面の一例を示す図である。図９を参照して、タッチパネル１５Ａによって矢印キー７５の押下が検知されると、制御部１０は、印刷対象の記録紙の色を選択するためのソフトキーとして、キー７１及びキー７２とともに、「薄青」を選択するためのキー９１が表示されるように、領域７４に表示されるソフトキーを変更する。キー９１は、「薄青」という色名が表示される領域９１Ａと、「薄青」という色名に対応する（１４９，１７９，２１５）という第１のＲＧＢ値によって指定される色が表示される領域９１Ｂと、を含む。
【００５２】
ユーザーは、記録紙の色を選択するためにキー９１を押下し、さらにキー７８を押下したものとする。タッチパネル１５Ａによってキー９１及びキー７８の押下が検知されると、制御部１０は、複数の記録紙の色のうちのいずれかを選択する指示を受け付けたと判定し、選択されているキー９１に対応する第１のＲＧＢ値を、設定情報としてＨＤＤ１９に記憶させる。
【００５３】
設定情報としての第１のＲＧＢ値の記憶後、制御部１０は、表示部１６に、複写画面５０を再度表示させる。ユーザーは、画像読取部１１の図略のコンタクトガラスに、印刷を所望する画像（以下、「第２の画像」と記す。）を含む原稿を載置して、操作部１５に備えられる図略のスタートキーを押下したものとする。
【００５４】
図１０は、第２の画像の一例を示す図である。図１０を参照して、第２の画像１００は、オブジェクト画像１０２と、オブジェクト画像１０２以外の部分である背景画像１０４と、を含む。オブジェクト画像１０２は、黄色で示されている。背景画像１０４は白色で示されている。
【００５５】
図３Ａを参照して、図略のスタートキーの押下を検知することで、複写処理を実行する指示を受け付けると、制御部１０は、画像読取部１１に対し、図略のコンタクトガラスに載置されている原稿の第２の画像１００を読み取らせて、予め設定されている読取解像度に応じた画素数の第２の画像データを生成させる（ステップＳ１１）。
【００５６】
第２の画像データの生成後、制御部１０は、ＨＤＤ１９に記憶されている設定情報に基づいて、色補正機能が有効に設定されているか否かを判定する（ステップＳ１２）。この場合、制御部１０は、色補正機能が有効に設定されていると判定し（ステップＳ１２にてＹＥＳ）、一般的に使用されるオブジェクト認識技術を用いて、第２の画像データにおけるオブジェクト画像１０２に対応する部分を認識する（ステップＳ１３）。オブジェクト画像１０２の認識後、制御部１０は、オブジェクト画像１０２を構成する画素のそれぞれについて、以下のステップＳ１４乃至ステップＳ２１に示す色補正処理を実行する。
（１−１）記録紙の色が、オブジェクト画像の色に近い色ではない場合
以下、記録紙の色が、オブジェクト画像１０２の色に近い色ではない場合の色補正処理について説明する。図１１は、色補正処理の詳細を説明するための図である。色補正処理において、制御部１０はまず、第２の画像データから、オブジェクト画像１０２を構成する画素のうちのいずれかの画素（以下、「第１画素」と記す。）について、第２のＲＧＢ値を取得する（ステップＳ１４）。図１１（Ａ）を参照して、この場合、制御部１０は、第１画素の第２のＲＧＢ値として、黄色１１２を指定する（２４５，２３７，８１）を取得する。
【００５７】
第２のＲＧＢ値の取得後、制御部１０は、取得された第２のＲＧＢ値から、ＨＤＤ１９に設定情報として記憶されている第１のＲＧＢ値を差し引くことによって、第２のＲＧＢ値と第１のＲＧＢ値との差分を算出する（ステップＳ１５）。差分の算出後、制御部１０は、算出された差分に基づいて、記録紙の色が、第１画素の色と同じ色であるか否かを判定する（ステップＳ１６）。
【００５８】
この場合、第２のＲＧＢ値から第１のＲＧＢ値を差し引いた値は、（＋９６，＋５８，−１３４）であるので、制御部１０は、算出された差分がＲＧＢ成分の全てにおいて「０」ではない、すなわち、記録紙の色が第１画素の色と同じ色ではないと判定する（ステップＳ１６にてＮＯ）。
【００５９】
制御部１０は、記録紙の色が第１画素の色に近い予め定められた色であるか否かを判定する（ステップＳ１７）。この場合、制御部１０は、算出された差分がＲＧＢ成分の全てにおいて「±４０」以内ではない、すなわち、記録紙の色が第１画素の色に近い予め定められた色ではないと判定する（ステップＳ１７にてＮＯ）。ここで、予め定められた色とは、上記差分がＲＧＢ成分の全てにおいて「±４０」以内に入る場合の色を示す。
【００６０】
制御部１０は、記録紙の色と、第１画素の色とを混ぜ合わせることによって生成される混色の色を指定するＲＧＢ値を算出する（ステップＳ１８）。この場合、制御部１０は、第１のＲＧＢ値である（１４９，１７９，２１５）によって指定される薄青色１１１と、第１画素の第２のＲＧＢ値である（２４５，２３７，８１）によって指定される黄色１１２とを混ぜ合わせることによって生成される混色の色である黄緑色１１３を指定するＲＧＢ値として、（１９３，２０８，１５３）を算出する。
【００６１】
図３Ｂを参照して、制御部１０は、算出された混色のＲＧＢ値に基づいて、混色の色が第１画素の色よりも暗いか否かを判定する（ステップＳ１９）。具体的には、制御部１０は、混色のＲＧＢ値のうちの少なくとも２つの値が、第２のＲＧＢ値における対応する値よりも小さい値である場合には、混色の色が第１画素の色よりも暗い色であると判定する。
【００６２】
この場合、混色のＲ値「１９３」及びＧ値「２０８」は、第２のＲＧＢ値のＲ値「２４５」及びＧ値「２３７」よりも小さい値であるので、制御部１０は、混色の黄緑色１１３が、第１画素の黄色１１２よりも暗い色であると判定する（ステップＳ１９にてＹＥＳ）。
【００６３】
制御部１０は、第１のＲＧＢ値におけるＲＧＢ成分の割合に応じて、第３のＲＧＢ値におけるＲＧＢ成分のうちのいずれかの成分の割合が、第１画素の第２のＲＧＢ値における対応する成分の割合よりも予め定められた第１の値分大きくなるように、第３のＲＧＢ値を算出する（ステップＳ２０）。ここで、第３のＲＧＢ値とは、色補正後の第２の画像データに基づく画像の色を指定するＲＧＢ値のことを示す。
【００６４】
この場合、第１のＲＧＢ値によって指定される薄青色１１１は青みの強い色であり、第１のＲＧＢ値におけるＲＧ成分の割合が小さい。したがって、制御部１０は、第３のＲＧＢ値におけるＲＧ成分の割合が、第１画素の第２のＲＧＢ値におけるＲＧ成分の割合よりも予め定められた第１の値分大きくなるように、（２５５，２５５，０）という第３のＲＧＢ値を算出する。これによって、第３のＲＧＢ値によって指定される黄色１１４は、オブジェクト画像１０２を構成する第１画素の黄色１１２よりも、赤み及び緑みが強まった色となる。なお、予め定められた第１の値は、ユーザー等によって任意に設定される値である。本実施の形態では、予め定められた第１の値として、１０以上２０以下の範囲に入る値が設定されている。
【００６５】
第３のＲＧＢ値の算出後、制御部１０は、第１画素の第２のＲＧＢ値を、算出された第３のＲＧＢ値に置き換えることによって、第２の画像データにおける第１画素に対応する部分の色補正を行なう（ステップＳ２１）。色補正の実行後、制御部１０は、オブジェクト画像１０２を構成する全ての画素について、上記した色補正処理が実行されたか否かを判定する（ステップＳ２２）。
【００６６】
この場合、制御部１０は、オブジェクト画像１０２を構成する全ての画素について色補正処理が実行されていないと判定し（ステップＳ２２にてＮＯ）、オブジェクト画像１０２を構成する全ての画素について色補正処理が実行されたと判定されるまで、オブジェクト画像１０２を構成する画素のうち第１の画素とは異なる他の画素について、上記した色補正処理を繰り返す。
【００６７】
制御部１０は、オブジェクト画像１０２を構成する全ての画素について色補正処理が実行されたと判定すると（ステップＳ２２にてＹＥＳ）、第２の画像データにおける背景画像１０４に対応する部分を認識して（ステップＳ２３）、第２の画像データにおける、背景画像１０４を構成する全ての画素についての第２のＲＧＢ値を、白色を指定する（２５５，２５５，２５５）に置き換える（ステップＳ２４）。この場合、制御部１０は、背景画像１０４を構成する画素の第２のＲＧＢ値である、白色を指定する（２５３，２５４，２５５）を、（２５５，２５５，２５５）に変換する。
【００６８】
第２のＲＧＢ値の置き換え後、制御部１０は、画像形成部１２等に対し、色補正後の第２の画像データに基づく画像を記録紙に印刷させる（ステップＳ２５）。なお、白色を指定するＲＧＢ値に対応する画素については、画像形成部１２による印刷は実行されない。印刷後、制御部１０は、表示部１６に、ホーム画面４０を再度表示させる。
【００６９】
図１２は、印刷された画像の一例を示す図である。図１２を参照して、印刷された画像２００は、オブジェクト画像２０２と、オブジェクト画像２０２以外の部分である背景画像２０４と、を含む。
【００７０】
オブジェクト画像２０２は、黄色１１４に対応するインクを用いて印刷されている。オブジェクト画像２０２が印刷されている記録紙の色は薄青色１１１であるため、ユーザーによって視認されるオブジェクト画像２０２の色は、薄青色１１１と黄色１１４とを混ぜ合わせることによって生成される混色の色となる。この混色の色は、混色１１３よりも明るく、オブジェクト画像１０２の黄色１１２により近い色である。また、背景画像２０４は、画像形成部１１による印刷が実行されていない部分であるため、記録紙の薄青色１１１がそのままユーザーによって視認される。
【００７１】
なお、制御部１０によって、混色の色が、第１画素の黄色１１２よりも暗い色ではないと判定された場合（ステップＳ１９にてＮＯ）、ステップ２０及びステップＳ２１の処理は実行されることなく、ステップＳ２２乃至ステップＳ２５の処理が実行される。
（１−２）記録紙の色が、オブジェクト画像の色に近い色である場合
ここで、記録紙の色が、オブジェクト画像の色に近い色である場合の色補正処理について説明する。図１１（Ｂ）を参照して、例えば、記録紙の色が薄緑色１１５であり、オブジェクト画像の色が薄緑色１１６であるものとする。
【００７２】
色補正処理において、制御部１０はまず、第２の画像データから、オブジェクト画像を構成する画素のうちのいずれかの画素（以下、「第２画素」と記す。）について、第２のＲＧＢ値を取得する（ステップＳ１４）。この場合、制御部１０は、第２画素の第２のＲＧＢ値として、薄緑色１１６を指定する（２１６，２２８，１８８）を取得する。
【００７３】
第２のＲＧＢ値の取得後、制御部１０は、取得された第２のＲＧＢ値から、ＨＤＤ１９に設定情報として記憶されている第１のＲＧＢ値を差し引くことによって、第２のＲＧＢ値と第１のＲＧＢ値との差分を算出し（ステップＳ１５）、算出された差分に基づいて、記録紙の色が、第２画素の色と同じ色であるか否かを判定する（ステップＳ１６）。
【００７４】
この場合、第２画素の第２のＲＧＢ値から、薄緑色１１５を指定する（２３５，２４１，２２２）という第１のＲＧＢ値を差し引いた値は、（−１９，−１３，−３４）であるので、制御部１０は、算出された差分がＲＧＢ成分の全てにおいて「０」ではない、すなわち、記録紙の色が、第２画素の色と同じ色ではないと判定する（ステップＳ１６にてＮＯ）。
【００７５】
制御部１０は、記録紙の色が第２画素の色に近い予め定められた色であるか否かを判定する（ステップＳ１７）。この場合、制御部１０は、算出された差分がＲＧＢ成分の全てにおいて「±４０」以内である、すなわち、記録紙の色が第２画素の色に近い予め定められた色であると判定する（ステップＳ１７にてＹＥＳ）。
【００７６】
制御部１０は、第２画素について、第３のＲＧＢ値における全ての値が、第２のＲＧＢ値における対応する値よりも予め定められた第２の値分大きくなるように、第３のＲＧＢ値を算出する（ステップＳ２０）。この場合、制御部１０は、第２画素について、（２３５，２４１，２２２）という第３のＲＧＢ値を算出する。これによって、第３のＲＧＢ値によって指定される薄緑色１１７は、第２のＲＧＢによって指定される薄緑色１１６よりも、全体の色みが弱まった色となる。なお、予め定められた第２の値は、ユーザー等によって任意に設定される値である。本実施の形態では、予め定められた第２の値として、１０以上４０以下の範囲に入る値が設定されている。
【００７７】
第３のＲＧＢ値の算出後、制御部１０は、第２画素の第２のＲＧＢ値を、算出された第３のＲＧＢ値に置き換えることによって、第２の画像データにおける第２画素に対応する部分の色補正を行なう（ステップＳ２１）。
（１−３）記録紙の色が、オブジェクト画像の色と同じ色である場合
以下、記録紙の色が、オブジェクト画像の色と同じ色である場合の色補正処理について説明する。図１１（Ｃ）を参照して、例えば、記録紙の色が薄緑色１１９であり、オブジェクト画像の色が、薄緑色１１９と同じ色である薄緑色１２０であるものとする。薄緑色１１９を指定する第１のＲＧＢ値と、薄緑色１２０を指定する第２のＲＧＢ値とは同じ値である。
【００７８】
色補正処理において、制御部１０はまず、第２の画像データから、オブジェクト画像を構成する画素のうちのいずれかの画素（以下、「第３画素」と記す。）について、第２のＲＧＢ値を取得する（ステップＳ１４）。この場合、制御部１０は、第３画素の第２のＲＧＢ値として、薄緑色１２０を指定する（２３５，２４１，２２２）を取得する。
【００７９】
第２のＲＧＢ値の取得後、制御部１０は、取得された第２のＲＧＢ値から、ＨＤＤ１９に設定情報として記憶されている第１のＲＧＢ値を差し引くことによって、第２のＲＧＢ値と第１のＲＧＢ値との差分を算出し（ステップＳ１５）、算出された差分に基づいて、記録紙の色が、第３画素の色と同じ色であるか否かを判定する（ステップＳ１６）。
【００８０】
この場合、第２画素の第２のＲＧＢ値から、薄緑色１１９を指定する（２３５，２４１，２２２）という第１のＲＧＢ値を差し引いた値は、（０，０，０）であるので、制御部１０は、算出された差分がＲＧＢ成分の全てにおいて「０」である、すなわち、記録紙の色が、第３画素の色と同じ色であると判定する（ステップＳ１６にてＹＥＳ）。
【００８１】
制御部１０は、第３画素について、第３のＲＧＢ値として、白色１２１を指定する（２５５，２５５，２５５）を算出する（ステップＳ２０）。白色を指定するＲＧＢ値は、画像形成部１２による画像形成を実行しないように予め設定されている値である。
【００８２】
第３のＲＧＢ値の算出後、制御部１０は、第３画素の第２のＲＧＢ値を、算出された第３のＲＧＢ値に置き換えることによって、第２の画像データにおける第３画素に対応する部分の色補正を行なう（ステップＳ２１）。
（２）色補正処理が実行されない場合
画像形成装置１の電源が投入されると、制御部１０は、表示部１６に、ホーム画面４０を表示させる。ユーザーは、複写機能の利用を所望して、給紙部１４の給紙カセットに、印刷対象の薄青色の記録紙を収容して、キー４２を押下したものとする。タッチパネル１５Ａによってキー４２の押下が検知されると、制御部１０は、表示部１６に、複写画面５０を表示させる。
【００８３】
ユーザーは、複写画面５０を確認して、操作部１５を介して、薄青色の記録紙が収容されている給紙カセットを選択する指示を入力するとともに、画像読取部１１による読取解像度を、「２００×２００ｄｐｉ」に設定する指示を入力したものとする。ユーザーはまた、キー５４を押下したものとする。タッチパネル１５Ａによってキー５４の押下が検知されると、制御部１０は、設定画面を表示する指示を受け付けたと判定し、表示部１６に、設定画面６０を表示させる。
【００８４】
ユーザーは、色補正機能を無効に設定するために、キー６４を押下し、さらにキー６６を押下したものとする。タッチパネル１５Ａによってキー６４及びキー６６の押下が検知されると、制御部１０は、色補正機能を無効に設定して、設定内容を設定情報としてＨＤＤ１９に記憶させる。制御部１０はまた、キー６４及びキー６６の押下の検知に応じて、選択画面を表示する指示を受け付けていないと判定し、表示部１６に、複写画面５０を再度表示させる。
【００８５】
ユーザーは、複写画面５０を確認して、画像読取部１１の図略のコンタクトガラスに、印刷を所望する第２の画像１００を含む原稿を載置して、操作部１５に備えられる図略のスタートキーを押下したものとする。図３Ａを参照して、図略のスタートキーの押下を検知することで、複写処理を実行する指示を受け付けると、制御部１０は、画像読取部１１に対し、図略のコンタクトガラスに載置されている原稿の第２の画像１００を読み取らせて、予め設定されている読取解像度に応じた画素数の第２の画像データを生成させる（ステップＳ１１）。
【００８６】
第２の画像データの生成後、制御部１０は、ＨＤＤ１９に記憶されている設定情報に基づいて、色補正機能が有効に設定されているか否かを判定する（ステップＳ１２）。この場合、制御部１０は、色補正機能が無効に設定されていると判定し（ステップＳ１２にてＮＯ）、画像形成部１２に対し、第２の画像データに基づく画像を記録紙に印刷させる（ステップＳ２５）。この場合、色補正処理は行なわれていないので、制御部１０は、第２のＲＧＢ値を用いて印刷を実行する。なお、白色を指定するＲＧＢ値に対応する画素については、画像形成部１２による印刷は実行されない。
【００８７】
図１３は、印刷された画像の他の一例を示す図である。図１３を参照して、印刷された画像３００は、オブジェクト画像３０２と、オブジェクト画像３０２以外の部分である背景画像３０４と、を含む。
【００８８】
オブジェクト画像３０２は、オブジェクト画像１０２の黄色１１２に対応する色のインクによって印刷されている。オブジェクト画像３０２が印刷されている記録紙の色は薄青色１１１であるため、ユーザーによって視認されるオブジェクト画像３０２の色は、薄青色１１１と黄色１１２とを混ぜ合わせることによって生成される混色の色である。この混色の色は、黄色１１２よりも暗い黄緑色１１３である。また、背景画像３０４は、画像形成部１１による印刷が実行されていない部分であるため、記録紙の薄青色１１１がそのままユーザーによって視認される。
【００８９】
上記実施の形態によれば、制御部１０は、操作部１５を介して、記録紙の色を示す第１の色情報を取得する指示を受け付ける毎に、画像読取部１１に対し、第１の画像を読み取らせて第１の画像データを生成させ、生成された第１の画像データから第１の画像の色を示す色情報を取得し、取得された色情報を、記録紙の色を特定するための色名と対応付けて、第１の色情報としてＨＤＤ１９に記憶させる。
【００９０】
制御部１０はまた、操作部１５を介して、選択可能な記録紙の色を示す情報を表示する指示を受け付けた場合に、表示部１６に対し、ＨＤＤ１９に記憶されている第１の色情報に基づいて、少なくとも１つの記録紙の色を示す情報を表示させる。
【００９１】
制御部１０はさらに、操作部１５を介して、少なくとも１つの記録紙の色のうちのいずれかを選択する指示を受け付けた場合であって、複写処理を実行する指示を受け付けた場合に、選択されている記録紙の色に対応する第１の色情報、及び印刷対象の第２の画像データによって示される第２の画像の色を示す第２の色情報に応じて、第２の画像データの色補正を行ない、画像形成部１２に対し、色補正後の第２の画像データに基づく画像を、記録紙に形成させる。
【００９２】
このように、記録紙の色を示す第１の色情報は、画像読取部１１によって生成される第１の画像データから取得されるので、制御部１０は、実際に使用する記録紙の色に応じた色補正を行なうことが可能になる。したがって、標準的な記録紙の色に応じた色補正を行なう場合と比較して、ユーザーが想定している第２の画像の色を正確に再現することができる。
【００９３】
また、色補正に用いるための記録紙の色が、予め記憶されている第１の色情報に基づいて表示される少なくとも１つの記録紙の色から選択されるので、画像読取部１１に不具合が生じている場合であっても、ユーザーが想定している第２の画像の色を正確に再現することができる。さらに、第１の色情報を取得するためにセンサー又は測色計等を使用する場合と比較して、部品点数を減らすことができる。
【００９４】
また上記実施の形態によれば、第１の色情報は、第１の画像としての記録紙の色を指定する第１のＲＧＢ値を含む。第２の色情報は、第２の画像の色を指定する第２のＲＧＢ値を含む。制御部１０は、第１のＲＧＢ値及び第２のＲＧＢ値に応じて、色補正後の第２の画像データに基づく画像の色を指定する第３のＲＧＢ値を算出し、第２のＲＧＢ値を第３のＲＧＢ値に置き換えることによって色補正を行なう。これによって、制御部１０は、より一層円滑かつ迅速に色補正を行なうことができる。
【００９５】
また上記実施の形態によれば、制御部１０は、第１のＲＧＢ値と第２のＲＧＢ値とに基づいて、記録紙の色が、第２の画像の色に近い予め定められた色ではないと判定した場合であって、記録紙の色と、第２の画像の色とを混ぜ合わせることによって生成される混色の色が、第２の画像の色よりも暗い色であると判定した場合に、第１のＲＧＢ値におけるＲＧＢ成分の割合に応じて、第３のＲＧＢ値におけるＲＧＢ成分のうちのいずれかの成分の割合が、第２のＲＧＢ値における対応する成分の割合よりも予め定められた第１の値分大きくなるように、第３のＲＧＢ値を算出する。
【００９６】
これによって、記録紙の色が第２の画像の色に近い色ではなく、記録紙の色と第２の画像の色との混色の色が第２の画像よりも暗い色である場合には、第３のＲＧＢ値によって指定される色は、第２のＲＧＢによって指定される色よりも、赤み、緑み、及び黄みのうちの少なくともいずれか１つの色みが強まった色となる。したがって、ユーザーが想定している第２の画像の色をより一層正確に再現することができる。
【００９７】
また上記実施の形態によれば、制御部１０は、第１のＲＧＢ値と第２のＲＧＢ値とに基づいて、記録紙の色が、第２の画像の色に近い予め定められた色であると判定した場合に、第３のＲＧＢ値における全ての値が、第２のＲＧＢ値における対応する値よりも予め定められた第２の値分大きくなるように、第３のＲＧＢ値を算出する。
【００９８】
これによって、記録紙の色が、第２の画像の色に近い色である場合には、第３のＲＧＢ値によって指定される色は、第２のＲＧＢ値によって指定される色よりも、全体の色みが弱まった色となる。したがって、ユーザーが想定している第２の画像の色をより一層正確に再現することができる。
【００９９】
また上記実施の形態によれば、制御部１０は、第１のＲＧＢ値と第２のＲＧＢ値とが同じ値である場合に、第３のＲＧＢ値として、画像形成部１２による画像形成を実行しないように予め設定されている値を算出する。
【０１００】
これによって、記録紙の色と第２の画像の色とが同じである場合には、画像形成部１２等による印刷が実行されないので、インクが無駄に消費されることを防ぎつつ、ユーザーが想定している第２の画像の色を正確に再現することができる。
（その他の変形例）
上記実施の形態では、混色のＲＧＢ値のうちの少なくとも２つの値が、第２のＲＧＢ値における対応する値よりも小さい値である場合に、混色の色がオブジェクト画像１０２の色よりも暗い色であると判定されたが、本発明はそのような実施の形態に限定されない。例えば、混色のＲＧＢ値のうちの少なくとも１つの値が、第２のＲＧＢ値における対応する値よりも予め定められる値以上小さい値である場合に、混色の色がオブジェクト画像１０２の色よりも暗い色であると判定されてもよい。
【０１０１】
また上記実施の形態では、算出された差分がＲＧＢ成分の全てにおいて「±４０」以内である場合に、記録紙の色が第１画素の色に近い予め定められた色であると判定されたが、本発明はそのような実施の形態に限定されない。例えば、算出された差分がＲＧＢ成分の全てにおいて「±２０」又は「±３０」以内である場合に、記録紙の色が第１画素の色に近い予め定められた色であると判定されてもよい。
【０１０２】
また上記実施の形態では、記録紙の色を特定するための特定情報として、色名が用いられたが、本発明はそのような実施の形態に限定されない。例えば、特定情報として、番号が用いられてもよい。
【０１０３】
また上記実施の形態では、色補正処理を実行するための色情報として、ＲＧＢ値が用いられたが、本発明はそのような実施の形態に限定されない。例えば、色情報として、ＣＭＹＫ値が用いられてもよい。
【０１０４】
また上記実施の形態では、背景画像を構成する全ての画素の第２のＲＢＧ値が、白色を指定する（２５５，２５５，２５５）というＲＧＢ値に置き換えられたが、本発明はそのような実施の形態に限定されない。例えば、背景画像を構成する画素についても、オブジェクト画像を構成する画素と同様に色補正処理が実行されてもよい。
【０１０５】
また上記実施の形態では、画像形成部１２による画像形成を実行しないように予め設定されている値として、白色を指定するＲＧＢ値が用いられたが、本発明はそのような実施の形態に限定されない。例えば、第２のＲＧＢ値に、透過度が１００％であることを示すアルファ値「０」を追加することで生成されるＲＧＢＡ値を、予め設定されている値としてもよい。
【０１０６】
また上記実施の形態では、色補正機能の有効又は無効の設定、及び、印刷対象の記録紙の色の選択は、操作部１５を介して行なわれたが、本発明はそのような実施の形態に限定されない。例えば、ネットワークを介して接続されているＰＣに備えられる図略の操作部を介して、上記の設定が行なわれる構成であってもよい。この場合、ＰＣに備えられる図略の表示部に、設定画面６０及び選択画面７０が表示される構成であることが好ましい。
【０１０７】
また上記実施の形態では、複写機能による印刷の実行時に色補正処理が行なわれたが、本発明はそのような実施の形態に限定されず、例えば、プリンター機能による印刷の実行時に色補正処理が行なわれてもよい。
【０１０８】
また上記実施の形態では、画像形成部１２は、記録紙に画像を形成したが、本発明はそのような実施の形態に限定されない。画像形成部１２は、記録紙に限らず、他の記録媒体に画像を形成してもよい。他の記録媒体としては、染料を含むインクが染み込む媒体であれば特に限定されず、例えば、木製の板状部材又は布製の生地等を例示できる。
【０１０９】
また、第３のＲＧＢ値の算出方法は、記録紙の色に応じた色補正処理において一般的に使用される方法であればよく、上記実施の形態において示されている算出方法に限定されない。
【０１１０】
なお、本発明は上記実施の形態の構成に限られず種々の変形が可能である。例えば、上記実施の形態では、本発明に係る画像形成装置の一実施形態をインクジェット方式の複合機を用いて説明しているが、これは一例に過ぎず、複写機、又はファクシミリ装置等の、インクジェット方式のカラー印刷が可能な他の電子機器であってもよい。
【０１１１】
また、図１乃至図１３を用いて上記実施形態により示した構成及び処理は、本発明の一実施形態に過ぎず、本発明を当該構成及び処理に限定する趣旨ではない。
【符号の説明】
【０１１２】
１    画像形成装置
１０  制御部
１１  画像読取部
１２  画像形成部
１５  操作部
１６  表示部
１９  ＨＤＤ
１００  制御ユニット
【図１】
2020047998.tif 000003
【図２】
2020047998.tif 000004
【図３Ａ】
2020047998.tif 000005
【図３Ｂ】
2020047998.tif 000006
【図４】
2020047998.tif 000007
【図５】
2020047998.tif 000008
【図６】
2020047998.tif 000009
【図７】
2020047998.tif 000010
【図８】
2020047998.tif 000011
【図９】
2020047998.tif 000012
【図１０】
2020047998.tif 000013
【図１１】
2020047998.tif 000014
【図１２】
2020047998.tif 000015
【図１３】
2020047998.tif 000016